【手続補正書】
【提出日】平成16年1月26日(2004.1.26)
【手続補正１】
【補正対象書類名】明細書
【補正対象項目名】発明の名称
【補正方法】変更
【補正の内容】
【発明の名称】電気光学装置及びプロジェクタ


【手続補正２】
【補正対象書類名】明細書
【補正対象項目名】特許請求の範囲
【補正方法】変更
【補正の内容】
【特許請求の範囲】
【請求項１】
基板上に走査線と、前記走査線に交差するデータ線と、前記走査線と前記データ線との交差に対応して配置された薄膜トランジスタ及び画素電極とを有する電気光学装置であって、
前記薄膜トランジスタの半導体層のドレイン領域から延設された第１容量電極と、前記薄膜トランジスタのゲート絶縁膜を介して前記第１容量電極に対向配置された島状の第２容量電極と、前記第２容量電極よりも上層に形成され前記第２容量電極を定電位にするために前記第２容量電極と電気的に接続される第１導電膜とを備えることを特徴とする電気光学装置。
【請求項２】
前記第１容量電極及び前記第２容量電極は、前記データ線及び前記走査線が延在する方向に形成されることを特徴とする請求項１に記載の電気光学装置。
【請求項３】
前記第１導電膜は、前記第１容量電極及び前記第２容量電極と重なり、前記データ線及び前記走査線が延在する方向に形成された遮光膜であることを特徴とする請求項１または２記載の電気光学装置。
【請求項４】
前記第１導電膜は前記データ線と重なり、前記データ線の幅よりも広い幅を持つことを特徴とする請求項１乃至３のいずれか一項に記載の電気光学装置。
【請求項５】
前記第１導電膜は、前記薄膜トランジスタのドレイン領域に電気的に接続された第２導電膜に対向配置され蓄積容量を形成することを特徴とする請求項１乃至４のいずれか一項に記載の電気光学装置。
【請求項６】
前記薄膜トランジスタの半導体層の下層に下地遮光膜が形成されることを特徴とする請求項１乃至５のいずれか一項に記載の電気光学装置。
【請求項７】
前記第１導電膜は、走査線駆動回路あるいはデータ線駆動回路の負電源あるいは正電源、接地電源、前記画素電極に対向配置される対向電極に供給される定電位源のいずれかの電位が供給されることを特徴とする請求項１乃至６のいずれか一項に記載の電気光学装置。
【請求項８】
前記画素電極下の絶縁膜は、ＣＭＰ処理で平坦化されることを特徴とする請求項１乃至７のいずれか一項に記載の電気光学装置。
【請求項９】
請求項１乃至７のいずれか一項に記載の電気光学装置をライトバルブとして用いたことを特徴とするプロジェクタ。
【手続補正３】
【補正対象書類名】明細書
【補正対象項目名】０００６
【補正方法】変更
【補正の内容】
【０００６】
【課題を解決するための手段】
本発明の電気光学装置は上記課題を解決するために、基板上に走査線と、前記走査線に交差するデータ線と、前記走査線と前記データ線との交差に対応して配置された薄膜トランジスタ及び画素電極とを有する電気光学装置であって、前記薄膜トランジスタの半導体層のドレイン領域から延設された第１容量電極と、前記薄膜トランジスタのゲート絶縁膜を介して前記第１容量電極に対向配置された島状の第２容量電極と、前記第２容量電極よりも上層に形成され前記第２容量電極を定電位にするために前記第２容量電極と電気的に接続される第１導電膜とを備えることを特徴とする。


【手続補正４】
【補正対象書類名】明細書
【補正対象項目名】０００７
【補正方法】変更
【補正の内容】
【０００７】
本発明の電気光学装置の一態様は、前記第１容量電極及び前記第２容量電極は、前記データ線及び前記走査線が延在する方向に形成されることを特徴とする。


【手続補正５】
【補正対象書類名】明細書
【補正対象項目名】０００８
【補正方法】変更
【補正の内容】
【０００８】
本発明の電気光学装置の一態様は、前記第１導電膜は、前記第１容量電極及び前記第２容量電極と重なり、前記データ線及び前記走査線が延在する方向に形成された遮光膜であることを特徴とする。


【手続補正６】
【補正対象書類名】明細書
【補正対象項目名】０００９
【補正方法】変更
【補正の内容】
【０００９】
本発明の電気光学装置の一態様は、前記第１導電膜は前記データ線と重なり、前記データ線の幅よりも広い幅を持つことを特徴とする。


【手続補正７】
【補正対象書類名】明細書
【補正対象項目名】００１０
【補正方法】変更
【補正の内容】
【００１０】
本発明の電気光学装置の一態様は、前記薄膜トランジスタの半導体層の下層に下地遮光膜が形成されることを特徴とする。


【手続補正８】
【補正対象書類名】明細書
【補正対象項目名】００１１
【補正方法】変更
【補正の内容】
【００１１】
本発明の電気光学装置の一態様は、前記第１導電膜は、走査線駆動回路あるいはデータ線駆動回路の負電源あるいは正電源、接地電源、前記画素電極に対向配置される対向電極に供給される定電位源のいずれかの電位が供給されることを特徴とする。


【手続補正９】
【補正対象書類名】明細書
【補正対象項目名】００１２
【補正方法】変更
【補正の内容】
【００１２】
本発明の電気光学装置の一態様は、前記画素電極下の絶縁膜は、ＣＭＰ処理で平坦化されることを特徴とする。


【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】削除
【補正の内容】
【手続補正１５】
【補正対象書類名】明細書
【補正対象項目名】００１８
【補正方法】削除
【補正の内容】
【手続補正１６】
【補正対象書類名】明細書
【補正対象項目名】００１９
【補正方法】削除
【補正の内容】
【手続補正１７】
【補正対象書類名】明細書
【補正対象項目名】００２０
【補正方法】削除
【補正の内容】
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】
【手続補正２８】
【補正対象書類名】明細書
【補正対象項目名】００３１
【補正方法】削除
【補正の内容】
【手続補正２９】
【補正対象書類名】明細書
【補正対象項目名】００３２
【補正方法】削除
【補正の内容】
【手続補正３０】
【補正対象書類名】明細書
【補正対象項目名】００３３
【補正方法】削除
【補正の内容】
【手続補正３１】
【補正対象書類名】明細書
【補正対象項目名】００３４
【補正方法】削除
【補正の内容】
【手続補正３２】
【補正対象書類名】明細書
【補正対象項目名】００３５
【補正方法】削除
【補正の内容】
【手続補正３３】
【補正対象書類名】明細書
【補正対象項目名】００３６
【補正方法】削除
【補正の内容】
【手続補正３４】
【補正対象書類名】明細書
【補正対象項目名】００３７
【補正方法】削除
【補正の内容】